(57)【特許請求の範囲】
【請求項１】
発光ダイオードが実装された発光ダイオード実装基板に装着される色変換シートであって、
上記発光ダイオード実装基板に装着されたときに、上記発光ダイオードに対向する部分に開口が形成された基板と、
蛍光体が分散されたシリコーン樹脂の硬化体からなり、上記開口内に配設されて上記基板に支持され、一面が上記基板の一面と面一となる平坦面で構成され、他面が上記開口内に位置する凹型メニスカスの下面で構成されている蛍光部材と、
を備えていることを特徴とする色変換シート。
【請求項２】
上記基板は、複数枚の積層板を粘着剤により貼り合わせて作製された積層体であることを特徴とする請求項１記載の色変換シート。
【請求項３】
再剥離性接着剤層が上記基板の一面に形成されていることを特徴とする請求項１又は請求項２記載の色変換シート。
【請求項４】
上記液状のシリコーン樹脂は、付加型液状シリコーン樹脂であることを特徴とする請求項１乃至請求項３のいずれか１項に記載の色変換シート。
【請求項５】
上記蛍光体は、無機酸化物であることを特徴とする請求項１乃至請求項４のいずれか１項に記載の色変換シート。
【請求項６】
発光ダイオードが実装された発光ダイオード実装基板に装着される色変換シートの製造方法であって、
上記発光ダイオード実装基板に装着されたときに、上記発光ダイオードに対向する開口を基板に形成する工程と、
上記開口を塞口するように上記基板の一面に平坦な塞口板を貼り付ける工程と、
蛍光体が分散された液状のシリコーン樹脂を上記開口に充填する工程と、
上記開口に充填された上記液状のシリコーン樹脂をレベリングする工程と、
レベリングされた上記液状のシリコーン樹脂を硬化して、一面が上記基板の一面と面一な平坦面で、かつ他面が上記開口内に位置する凹型メニスカスの下面で構成された蛍光部材を作製する工程と、
上記塞口板を上記基板から剥離する工程と、
を備えていることを特徴とする色変換シートの製造方法。
【請求項７】
上記開口を上記基板に形成するに先立って、再剥離性接着剤層を上記基板の一面に形成することを特徴とする請求項６記載の色変換シートの製造方法。
【請求項８】
上記液状のシリコーン樹脂は、ディスペンサを用いて上記開口に充填されることを特徴とする請求項６又は請求項７記載の色変換シートの製造方法。
【請求項９】
上記基板は、複数枚の積層板を粘着剤により貼り合わせて作製された積層体であることを特徴とする請求項６乃至請求項８のいずれか１項に記載の色変換シートの製造方法。
【請求項１０】
上記液状のシリコーン樹脂は、付加型液状シリコーン樹脂であることを特徴とする請求項６乃至請求項９のいずれか１項に記載の色変換シートの製造方法。
【請求項１１】
上記蛍光体は、無機酸化物であることを特徴とする請求項６乃至請求項１０のいずれか１項に記載の色変換シートの製造方法。
【請求項１２】
発光ダイオードが実装された発光ダイオード実装基板と、
上記開口が上記発光ダイオードに対向するように、上記発光ダイオード実装基板上に配設された請求項１乃至請求項５のいずれか１項に記載の色変換シートと、
を備えた発光ダイオード照明器具。
【発明の詳細な説明】
【技術分野】
【０００１】
この発明は、発光ダイオード（以下、ＬＥＤとする）から発せられる発光波長を変化して発光色を変化させる蛍光部を有する色変換シートおよびその製造方法並びにそれを用いた発光ダイオード照明器具に関するものである。
【背景技術】
【０００２】
ＬＥＤは、ＰＮ結合を持つ結晶体であり、順方向に電圧を加えた時に、伝導帯に注入される電子と価電子帯に形成されるホールがバンドギャップを超えて再結合する際に、光を発する。このような発光原理であるため、ＬＥＤの発光色は単一色となる。そこで、ＬＥＤを照明用途に利用する場合には、青色を発光するＬＥＤの表面に蛍光体を配置し、白色化している。しかし、ＬＥＤの製造バラツキが発光波長のバラツキを引き起こすため、蛍光部材をＬＥＤの発光の光路に位置するようにＬＥＤ実装基板に配置し、発色の微調整や色温度の変更を行う必要があった。
【０００３】
このような状況を鑑み、蛍光体物質を含有する透光性被覆部材をシート基材に形成された開口を覆うようにシート基材の表面に接合して構成された色変換シートを、透光性被覆部材がＬＥＤと対向するようにＬＥＤ実装基板に装着した発光装置が提案されている（例えば、特許文献１参照）。そして、特許文献１では、当該色変換シートは、シート基材にＬＥＤに対応する開口を形成し、開口より大きく形成された透光性被覆部材を開口を覆うようにシート基材の表面に溶着又は接着して、あるいは、所定形状に形成された透光性被覆部材を金型に配置し、シート基材を成形加工する際に、透光性被覆部材をシート基材に加硫接着して、製造されていた。
【先行技術文献】
【特許文献】
【０００４】
【特許文献１】特開２０００−３２３７５６号公報
【発明の概要】
【発明が解決しようとする課題】
【０００５】
特許文献１では、所定形状に作製された透光性被覆部材をシート基材に接合しているので、透光性被覆部材の作製工程が別途必要となるとともに、ＬＥＤの個数分の透光性被覆部材の接合工程が必要となり、色変換シートの量産性が低下するという課題があった。また、透光性被覆部材がシート基材の表面に接合されているので、透光性被覆部材がシート基材の表面から突出し、色変換シートの梱包、保管、運搬、ＬＥＤ実装基板への装着時に、透光性被覆部材の表面が損傷、あるいは汚染され、光学特性が低下するという課題もあった。
【０００６】
この発明は、このような課題を解決するためになされたものであって、ＬＥＤ実装基板への装着時などに蛍光部材表面の損傷や汚染の発生を抑え、光学特性の低下を抑制できるとともに、量産性に優れた色変換シートおよびその製造方法並びにそれを用いた発光ダイオード照明器具を得ることを目的とする。
【課題を解決するための手段】
【０００７】
この発明による色変換シートの製造方法は、発光ダイオードが実装された発光ダイオード実装基板に装着される色変換シートの製造方法であって、上記発光ダイオード実装基板に装着されたときに、上記発光ダイオードに対向する開口を基板に形成する工程と、上記開口を塞口するように上記基板の一面に平坦な塞口板を貼り付ける工程と、蛍光体が分散された液状のシリコーン樹脂を上記開口に充填する工程と、上記開口に充填された上記液状のシリコーン樹脂をレベリングする工程と、レベリングされた上記液状のシリコーン樹脂を硬化して、一面が上記基板の一面と面一な平坦面で、かつ他面が上記開口内に位置する凹型メニスカスの下面で構成された蛍光部材を作製する工程と、上記塞口板を上記基板から剥離する工程と、を備えている。
【発明の効果】
【０００８】
この発明によれば、蛍光体が分散された液状のシリコーン樹脂を、基板に形成され、かつ塞口板により塞口された開口に充填し、リベリング後硬化して蛍光部材を基板に形成しているので、蛍光部材を発光ダイオードの個数分別途作製する必要がなく、色変換シートの量産性を向上させることができる。
このように製造された色変換シートは、蛍光部材の一面が基板の一面と面一となる平坦面で構成され、他面が開口内に位置する凹型メニスカスの下面で構成されているので、蛍光部材の基板からの突出がなく、発光ダイオード実装基板への装着時などに蛍光部材表面の損傷や汚染の発生を抑え、光学特性の低下を抑制できる。
【図面の簡単な説明】
【０００９】
【図１】この発明の実施の形態１に係るＬＥＤ照明器具の構成を模式的に示す断面図である。
【図２】この発明の実施の形態１に係るＬＥＤ照明器具に用いられる色変換シートの製造方法を説明する工程断面図である。
【図３】この発明の実施の形態２に係るＬＥＤ照明器具に用いられる色変換シートの製造方法を説明する工程断面図である。
【発明を実施するための形態】
【００１０】
以下、本発明の色変換シートおよびその製造方法並びにそれを用いたＬＥＤ照明器具の好適な実施の形態につき図面を用いて説明する。
【００１１】
実施の形態１．
図１はこの発明の実施の形態１に係るＬＥＤ照明器具の構成を模式的に示す断面図である。
【００１２】
図１において、ＬＥＤ照明器具１は、ＬＥＤ３が実装されたＬＥＤ実装基板２と、ＬＥＤ実装基板２の上部に配設され、ＬＥＤ３の発色の微調整や色温度の変更を行う色変換シート４と、ＬＥＤ３の上方に位置するように色変換シート４の上部に配設され、ＬＥＤ３から発光される光を反射して所定の方向に配光するリフレクタ１０と、を備えている。
【００１３】
ＬＥＤ実装基板２は、例えば多数のＬＥＤ３が実装されたプリント配線板であり、筐体（図示せず）内に配設される。そして、ＬＥＤ３がＬＥＤ実装基板２の電極に半田などにより接合され、実装されている。
色変換シート４は、ＬＥＤ実装基板２上に配設されたときに、ＬＥＤ３のそれぞれに相対する開口６が形成された基板５と、蛍光体が分散されたシリコーン樹脂からなり、開口６に充填・硬化された蛍光部材７と、基板５の一面の全面に形成された再剥離性接着剤層８と、を備えている。開口６に充填・硬化された蛍光部材７は、その一面が基板５の一面に形成された再剥離性接着剤層８と略面一な平坦面で構成され、他面が開口６内に位置する凹型メニスカスの下面で構成されている。そして、色変換シート４は、ＬＥＤ実装基板２に突設された支持台座９に支持されて、蛍光部材７がＬＥＤ３に近接して相対するようにＬＥＤ実装基板２に配設され、ＬＥＤ実装基板２あるいは筐体に取り付けられる。
【００１４】
リフレクタ１０は、例えば、ＬＥＤ３のそれぞれに相対する口開き状の筒部を有し、アルミニウムなどにより鏡面化処理が施された樹脂成型体により作製されている。そして、リフレクタ１０は、開口６が筒部内に位置するように色変換シート４上に配設され、ＬＥＤ実装基板２あるいは筐体に取り付けられる。なお、リフレクタ１０に代えて、レンズなどの光学部材を用いてもよい。
【００１５】
このように構成されたＬＥＤ照明器具１は、例えば居住空間の天井に設置される。そして、ＬＥＤ３から発せられた光は、蛍光部材７を通過し、リフレクタ１０により所定の方向に配光されて、居住空間に照射される。このとき、ＬＥＤ３から発せられた光は、蛍光部材７により、所定の発色に微調整され、あるいは所定の色温度に変更される。
【００１６】
この実施の形態１によれば、開口６に充填・硬化された蛍光部材７は、その一面が基板５の一面と略面一な平坦面で構成され、他面が開口６内に位置する凹型メニスカスの下面で構成されているので、蛍光部材７が基板５の表面から突出していない。そこで、色変換シート４の梱包、保管、運搬、ＬＥＤ実装基板２への装着時に、蛍光部材７の表面が損傷、あるいは汚染されにくくなり、光学特性の低下を抑制できる。
蛍光部材７は、蛍光体が分散されたシリコーン樹脂で構成されているので、ＬＥＤ３から発せられる熱や光に起因する変色の発生が抑えられ、長期的に安定した光学特性が得られる。
【００１７】
再剥離性接着剤層８が基板５の一面に形成されているので、色変換シート４をＬＥＤ実装基板２に取り付ける際に、再剥離性接着剤層８が支持台座９に接着し、色変換シート４を仮固定できる。そこで、蛍光部材７がＬＥＤ３と相対するように色変換シート４の位置決めが容易となり、ＬＥＤ照明器具１の組立性が向上する。特に、天井に設置されているＬＥＤ照明器具１の色温度を変更する場合には、ＬＥＤ３の実装面が下向きとなっているＬＥＤ実装基板２に色変換シート４を仮固定できるので、色温度の変更作業の作業性が向上する。さらに、ＬＥＤ３に対する開口６の位置精度が高められるので、位置ずれを見越した開口６のサイズ設計を行う必要がなく、蛍光部材７の開口６への充填量を低減できる。そこで、蛍光部材７に分散される高価な蛍光体の消費量が少なくなり、低コスト化が図られる。
【００１８】
色変換シート４をＬＥＤ実装基板２に近づけて配置することができるので、開口６の開口面積を小さくでき、蛍光部材７の開口６への充填量を低減できる。そこで、蛍光部材７に分散される高価な蛍光体の消費量が少なくなり、低コスト化が図られる。
リフレクタ１０が色変換シート４を介してＬＥＤ実装基板２の上部に配設されているので、リフレクタ１０はＬＥＤ３から発せられる熱や光による影響を受けにくくなる。そこで、リフレクタ１０として樹脂成型体を用いることができ、低コスト化が図られる。また、リフレクタ１０に代えて、樹脂製の光学部品を用いても、光学部品の熱劣化や光分解による変色がおきにくいので、光学部品として透明ガラスなどの無機透明材料を用いる必要がなく、低コスト化が図られる。
【００１９】
つぎに、色変換シート４の製造方法について図２を参照しつつ説明する。図２はこの発明の実施の形態１に係るＬＥＤ照明器具に用いられる色変換シートの製造方法を説明する工程断面図である。
【００２０】
まず、図２の（ａ）に示されるように、再剥離性接着剤層８が、両面が平坦な基板５の一面の全面に形成される。ついで、図２の（ｂ）に示されるように、開口６が基板５にプレス成形により形成される。ここで、開口６はＬＥＤ実装基板２に実装されたＬＥＤ３のそれぞれに対向する位置関係で基板５に形成される。つぎに、図２の（ｃ）に示されるように、平坦な塞口板１１を再剥離性接着剤層８により基板５の一面に貼り合わせる。ついで、蛍光体が分散された液状のシリコーン樹脂１２を塞口板１１により塞口された開口６に充填し、レベリングする。これにより、液状のシリコーン樹脂１２は、図２の（ｄ）に示されるように、凹型のメニスカスとなる。レベリングの後、図２の（ｅ）に示されるように、シリコーン樹脂１２を硬化させる。ついで、塞口板１１を基板５から剥離し、図２の（ｆ）に示されるように、開口６内に蛍光部材７が充填された色変換シート４が得られる。
【００２１】
この製造方法によれば、ＬＥＤ３の個数分の開口６を基板５にプレス成形し、蛍光体が分散された液状のシリコーン樹脂１２を各開口６に充填・硬化して、蛍光部材７がＬＥＤ３のそれぞれと相対するように配設された色変換シート４を製造しているので、蛍光部材７を別途作製する必要がなく、量産性が高められる。つまり、蛍光部材７を別途作製する場合に必要となる工程、例えば、ＬＥＤ３の個数分の蛍光部材７を作製する工程、蛍光部材７を基板５に接着するための接着剤を塗布する工程、さらには蛍光部材７を基板５に配置、接着する工程などが省略できる。また、適当なエッチング液がある場合には、プレス成形に代えて、該エッチング液を用いて基板５を部分的にエッチングすることにより開口６を形成してもよい。
【００２２】
ＬＥＤ３の個数分の開口６を基板５にプレス成形し、蛍光体が分散された液状のシリコーン樹脂１２を各開口６に充填し、レベリング後に液状のシリコーン樹脂１２を硬化している。そこで、その一面が基板５の一面と略面一な平坦面で構成され、他面が開口６内に位置する凹型メニスカスの下面で構成されている蛍光部材７を有する色変換シート４を簡易に製造することができる。また、硬化されたシリコーン樹脂１２、すなわち蛍光部材７の厚みの均一性を確保することができ、ＬＥＤ３の色温度のバラツキが抑制される。
開口６を基板５にプレス成形するに先立って、再剥離性接着剤層８を基板５の一面に形成しているので、再剥離性接着剤層８の開口６内へのはみ出しが抑えられる。
【００２３】
ここで、プレス成形とは、トムソン刃や金型を用いてプレス機械により開口６を基板５に打ち抜き成形することを意味する。
基板５は、その材料は特に限定されるものではなく、蛍光部材７を支持でき、かつハンドリング性を確保する剛性があればよい。特に、樹脂や金属のシート材であれば、加工成形性に優れており好ましく、さらには、ＬＥＤ３から発生する熱に耐えうる耐熱性があれば好ましい。例えば、ポリエチレンテレフタレート、ポリアクリル、ポリアミド、ＡＢＳ樹脂、ＡＳ樹脂、フェノール樹脂、エポキシ樹脂などの樹脂シート、やこれらの樹脂を繊維強化した繊維強化樹脂シートは、高密度に極性基を有することからシリコーン樹脂との密着性を確保できるとともに、加工成形性に優れているため好ましい。また、銅、ステンレス、アルミニウムなどの金属も同様に好ましい。
塞口板１１は、表面が平滑であればよく、その材料は特に限定されない。特に、ポリスチレン、ポリカーボネート、ポリアセタール、ポリテトラフルオロエチレンなどの樹脂シートは、極性基を高密度に有していないことから、シリコーン樹脂との離型性が高いため好ましい。
【００２４】
再剥離性接着剤層８は、基板５の一面に形成されるものとしているが、塞口板１１の表面に形成されてもよい。この場合、再剥離性接着剤層８は、塞口板１１の表面の開口６に対応する部位には形成されない。また、開口６に充填された液状のシリコーン樹脂１２が漏れ出ないように、再剥離性接着剤層８は、塞口板１１の表面の開口６の縁部に対応する部位に途切れることなく環状に形成される必要がある。
【００２５】
再剥離性接着剤層８は、液状のシリコーン樹脂１２のレベリング時および硬化時に、液状のシリコーン樹脂１２が漏れ出ない粘着力（接着力）が必要となる。特に、液状のシリコーン樹脂１２を高温で硬化させる場合には、基板５と塞口板１１との熱膨張率差に起因して基板５から塞口板１１を剥離させる力が発生するので、この剥離力に抗する接着力が必要となる。しかし、接着力が大き過ぎると、シリコーン樹脂１２の硬化後、基板５から塞口板１１を剥離させる際に、基板５に変形を生じさせるので、接着力を過大に大きくすることは好ましくない。さらに、塞口板１１を剥離したときに、再剥離性接着剤層８が基板５に残留するように、基板５との間の接着力を塞口板１１との間の接着力より大きくすることが好ましい。そこで、再剥離性接着剤層８は、例えば、ウレタン系粘着剤、アクリル系粘着剤、シリコーン系粘着剤が用いられ、上述条件を考慮して、基板５、塞口板１１、シリコーン樹脂１２の材質に応じて、その接着力が適宜調整される。
【００２６】
液状のシリコーン樹脂１２は、蛍光体粉末を分散可能、かつレベリング可能な粘度であることが必要となる。レベリング性は蛍光部材７の厚みの均一性と関連しており、重要な要素であるが、レベリング性の高い液状樹脂は、表面張力も低くいので、一般的に曳糸性が高くなる。その結果、充填方法としては、スクリーン印刷などの孔版印刷法は適さず、ディスペンサ（液体定量吐出装置）による充填方法が好ましい。ディスペンサによる充填方法は、他の充填方法に比べて、液状樹脂の無駄が少なくなり、ディスペンサノズル毎の吐出量を確認するだけで、非常に高い定量充填が可能となる。その結果、高価な蛍光体の消費量が削減され、低コスト化が図られるとともに、蛍光部材７の厚みのバラツキを極力抑えることができる。
【００２７】
また、ディスペンサによる充填方法では、開口６の上方から見て、ディスペンサノズル先端を開口６内を２次元的に満遍なく移動させながら、開口６内に液状のシリコーン樹脂１２を充填することが好ましい。これにより、開口６の断面積（広さ）が広くなっても、液状のシリコーン樹脂１２が開口６内に均等に充填され、レベリングし易くなる。
また、複数のノズルを有するディスペンサを用いると、量産性が向上する。この場合、複数のノズルから１つの開口６に液状のシリコーン樹脂１２を充填すると、液状のシリコーン樹脂１２は予め濡れ広がった状態で開口６に充填されるので、開口６の広さが広くなっても、レベリングし易くなる。しかし、ノズル毎に吐出量が異なるため、複数のノズルのそれぞれから異なる開口６に同時に液状のシリコーン樹脂１２を充填させることは、蛍光部材７の厚みのバラツキを発生させるので、好ましくない。
【００２８】
液状のシリコーン樹脂１２のレベリングのし易さは、液状のシリコーン樹脂１２の粘度、開口６の広さ、塞口板１１の表面エネルギー、液状のシリコーン樹脂１２の表面張力および充填量に左右される。そして、塞口板１１の表面エネルギーと液状のシリコーン樹脂１２の表面張力および充填量が、濡れ広がりを決める要因となる。しかし、液状のシリコーン樹脂１２の表面張力は極めて小さいので、塞口板１１および液状のシリコーン樹脂１２に一般的な材料を選択し、適度な充填量とすれば、必ず濡れ広がる。濡れ広がるための時間、すなわちレベリングするまでの時間は、液状のシリコーン樹脂１２の粘度と開口６の広さに左右される。そこで、開口６の上方から見て、ディスペンサノズル先端を開口６内を２次元的に満遍なく移動させながら、開口６内に液状のシリコーン樹脂１２を充填した場合には、レベリング前の液状のシリコーン樹脂１２が開口６内に比較的に均等に充填されるので、レベリング性は開口６の広さにもあまり影響されない。このことから、液状のシリコーン樹脂１２の粘度がレベリング性に最も影響すると考えられる。
【００２９】
ここで、それぞれ、ポリカーボネート樹脂、ポリエチレンテレフタレート樹脂、および電解脱脂したステンレスで作製された３種類の塞口板１１を用い、開口６の断面積を３０ｍｍ２として、３種類の色変換シート４を作製した。そして、ディスペンサを用いて液状のシリコーン樹脂１２を３種類の色変換シート４の開口６に充填し、室温放置し、液状のシリコーン樹脂１２の濡れ状態および硬化後の厚みのバラツキを観察した。
【００３０】
液状のシリコーン樹脂１２の粘度が室温で２．５Ｐａ・ｓ以下の場合には、いずれの種類の色変換シート４でも、液状のシリコーン樹脂１２は開口６全体に濡れ広がり、硬化後の蛍光部材７の厚みのバラツキは１０％以内であった。また、液状のシリコーン樹脂１２の粘度が室温で３．０Ｐａ・ｓを超えると、いずれの種類の色変換シート４でも、液状のシリコーン樹脂１２は開口６全体に濡れ広がる前にゲル化した。そこで、液状のシリコーン樹脂１２の粘度は室温で２．５Ｐａ・ｓ以下に調整することが好ましい。
【００３１】
蛍光体の比重は液状のシリコーン樹脂１２より高いので、液状のシリコーン樹脂１２の粘度が低すぎると、蛍光体がディスペンサのシリンジ内で沈殿し易くなり、分散性に問題が発生する。液状のシリコーン樹脂１２がシリンジ内で放置される時間などで、分散性の劣化度合いが変わるが、分散性の劣化度合いを観察した結果、０．８Ｐａ・ｓ以上であれば、問題ないことが確認できた。
【００３２】
これらのことから、液状のシリコーン樹脂１２の粘度は、室温で、０．８Ｐｓ・ｓ以上、２．５Ｐａ・ｓ以下に調整することが好ましい。
【００３３】
蛍光体が分散されるシリコーン樹脂は、液状であることが必要であるが、ミラブルタイプのように室温では固形状で、高温となると液状となるものがあるが、ディスペンサを用いて充填することから、室温で液状であることが好ましい。また、気泡や透明度の低下を招く反応副生成物を発生しない硬化系である付加型液状シリコーン樹脂が好ましい。さらには、フェニル基がシロキサンの側鎖に含まれているもの、さらにメチル基に対してフェニル基が多いものは、ラジカルに対する共鳴安定化効果が見込め、熱劣化による変色が少ないので、特に好ましい。
【００３４】
液状のシリコーン樹脂１２に分散される蛍光体は、耐熱性、耐候性に比較的に優れる無機酸化物であることが好ましく、例えば、希土類元素が含有されるアルミン酸塩、リン酸塩、ケイ酸塩などが用いられる。蛍光体の分散量は、必要とされる色温度、蛍光部材７の厚みによって適宜設定される。
【００３５】
液状のシリコーン樹脂１２は、その硬化温度が、基板５、再剥離性接着剤層８、塞口板１１の耐熱温度により決められる最大許容温度以下となるように、シリコーン樹脂を選択すればよい。
液状のシリコーン樹脂１２を加熱硬化させる場合には、基板５および塞口板１１の反りを考慮する必要がある。基板５と塞口板１１とが同じ材質であれば、反りは発生しないが、両者が異なる材料であれば、熱膨張率差から反り発生する。そこで、一方の曲げ剛性が他方の曲げ剛性に対して十分に大きくなるように、基板５および塞口板１１の材質を選択すればよい。つまり、液状のシリコーン樹脂１２の加熱硬化後の基板５および塞口板１１の反りが蛍光部材７の許容厚さバラツキと開口６の広さから確定された許容反り量より小さくなるように、基板５および塞口板１１の材質を選択すればよい。
【００３６】
実施の形態２．
図３はこの発明の実施の形態２に係るＬＥＤ照明器具に用いられる色変換シートの製造方法を説明する工程断面図である。
【００３７】
この実施の形態２による色変換シートの製造方法について図３を参照しつつ説明する。
まず、図３の（ａ）に示されるように、２枚の積層板１３を粘着剤１５により貼り合わして基板としての積層体１４を作製し、再剥離性接着剤層８が、積層体１４の一面の全面に形成される。ついで、図３の（ｂ）に示されるように、開口６が積層体１４にプレス成形により形成される。ここで、開口６はＬＥＤ実装基板２に実装されたＬＥＤ３のそれぞれに対向する位置関係で積層体１４に形成される。つぎに、図３の（ｃ）に示されるように、平坦な塞口板１１を再剥離性接着剤層８により積層体１４の一面に貼り合わせる。ついで、蛍光体が分散された液状のシリコーン樹脂１２を塞口板１１により塞口された開口６に充填し、レベリングする。これにより、液状のシリコーン樹脂１２は、図３の（ｄ）に示されるように、凹型のメニスカスとなる。レベリングの後、図３の（ｅ）に示されるように、シリコーン樹脂１２を硬化させる。ついで、塞口板１１を基板５から剥離し、図３の（ｆ）に示されるように、開口６内に蛍光部材７が充填された色変換シート４Ａが得られる。
【００３８】
この実施の形態２においても、ＬＥＤ３の個数分の開口６を積層体１４にプレス成形し、蛍光体が分散された液状のシリコーン樹脂１２を各開口６に充填し、リベリング後硬化して、蛍光部材７がＬＥＤ３のそれぞれと相対するように配設された色変換シート４を製造しているので、上記実施の形態１と同様の効果を奏する。
【００３９】
この実施の形態２によれば、開口６の内壁面には粘着剤１５が露出しているので、蛍光部材７は、開口６の内壁面との間の密着力に加えて、粘着剤１５との間の密着力により積層体１４に支持される。そこで、積層体１４による蛍光部材７の支持力が大きくなり、塞口板１１の剥離時の蛍光部材７の損傷の発生が抑えられ、歩留まりを高めることができるとともに、色変換シート４Ａのハンドリング時の蛍光部材７の損傷発生を抑えることができる。さらに、積層板１３の材料選択の幅が広がり、高熱伝導性の材料、例えば、ステンレス、銅、アルミニウムなどの金属材料を用いることができるので、ＬＥＤ３で発生する熱を効果的に放熱し、ＬＥＤ３の温度上昇を抑制し、ＬＥＤ３の発光効率を向上させることができるとともに、ＬＥＤ照明器具１の長寿命化を図ることができる。
【００４０】
また、粘着剤１５が液状、すなわち損失弾性率と貯蔵弾性率の比が１以上であると、プレスにより開口６を打ち抜く際に、粘着剤１５が開口６の内壁面に濡れ広がる。これにより、蛍光部材７と開口６の内壁面との間の密着力がさらに大きくなり、積層体１４による蛍光部材７の支持力を大きくすることができる。粘着剤１５には、例えば、ポリアクリル、シリコーン、エチレン・酢酸ビニル共重合体をそれぞれ主成分としたものが用いられる。
【符号の説明】
【００４１】
１  発光ダイオード照明器具、２  ＬＥＤ実装基板、４，４Ａ  色変換シート、５  基板、６  開口、７  蛍光部材、８  再剥離性接着剤層、１１  塞口板、１２  液状のシリコーン樹脂、１３  積層板、１４  積層体（基板）、１５  粘着剤。
【図１】
0005377543.tif 000002
【図２】
0005377543.tif 000003
【図３】
0005377543.tif 000004